(57)【要約】【課題】フレキシブル性が高い構造がシンプルな面スイッチを提供する。【解決手段】絶縁体に複数の穴を設け絶縁体の両面に柔軟性のある面導電体の電極を設けることを特徴とするフレキシブル面スイッチ。【選択図】図１
2006073522.tif 000002
【特許請求の範囲】
【請求項１】
絶縁体に複数の穴を設け、絶縁体の両面に柔軟性のある面導電体の電極を設けることを特徴とするフレキシブル面スイッチ。
【請求項２】
請求項１のフレキシブル面スイッチを保護する保護手段を有することを特徴とするフレキシブル面スイッチ。
【請求項３】
請求項１の絶縁体にゴムを用いることを特徴とするフレキシブル面スイッチ。
【請求項４】
請求項１の絶縁体にゴムスポンジを用いることを特徴とするフレキシブル面スイッチ。
【請求項５】
請求項１の絶縁体にウレタンフォームを用いることを特徴とするフレキシブル面スイッチ。
【請求項６】
請求項１の絶縁体にポリエチレンフォームを用いることを特徴とするフレキシブル面スイッチ。
【請求項７】
請求項１の絶縁体にシリコンを用いることを特徴とするフレキシブル面スイッチ。
【請求項８】
請求項１の絶縁体にゲルを用いることを特徴とするフレキシブル面スイッチ。
【請求項９】
請求項１の絶縁体にペーストを用いることを特徴とするフレキシブル面スイッチ。
【請求項１０】
請求項１の絶縁体にオイルを用いることを特徴とするフレキシブル面スイッチ。
【請求項１１】
請求項１の絶縁体に空気を用いることを特徴とするフレキシブル面スイッチ。
【請求項１２】
請求項１の絶縁体に液体を用いることを特徴とするフレキシブル面スイッチ。
【請求項１３】
請求項１の面導電体に導電布を用いることを特徴とするフレキシブル面スイッチ。
【請求項１４】
請求項１の面導電体に導電性ゴムを用いることを特徴とするフレキシブル面スイッチ。
【請求項１５】
請求項１の面導電体に導電性フィルムを用いることを特徴とするフレキシブル面スイッチ。
【請求項１６】
請求項１の面導電体に導電性不織布を用いることを特徴とするフレキシブル面スイッチ。
【請求項１７】
請求項１のフレキシブル面スイッチ加圧時に加圧状態である旨を第三者に知らせる無線通報手段を設けることを特徴とするフレキシブル面スイッチ。
【請求項１８】
請求項１のフレキシブル面スイッチ加圧時に加圧状態である旨を第三者に知らせる有線通報手段を設けることを特徴とするフレキシブル面スイッチ。
【発明の詳細な説明】
【技術分野】
【０００１】本発明は、フレキシブルな加圧センサに関するものである。
【背景技術】
【０００２】マットスイッチ等の電極には銅線やアルミ箔が採用されている。
【発明が解決しようとする課題】
【０００３】そのために次のような問題点があった。
イ）アルミ箔電極は機械的強度がなかった。
ロ）そのため機械的強度を高めるために必然的に保護材が厚くなり取り扱いに難点があった。
ハ）また、アルミ箔電極は一度折れ曲がると接触不良になりやすい。
ニ）銅線電極を用いた面センサは不感知帯が狭かった。
ホ）高齢者、病人のベッド転落、徘徊防止用としてパッド下に装着したときアルミ箔電極は寿命が短かった。
ヘ）また銅線電極は保護材が堅く厚くなるためセンサ上の高齢者、病人の肉体・精神的負担が大きかった。
【課題を解決するための手段】
【０００４】上記課題を解決するために本件の第１の発明は絶縁体に複数の穴を設け、絶縁体の両面に導電体の電極を設けることを特徴とするフレキシブル面スイッチ。
【０００５】また第２の発明は、第１発明のフレキシブルタッチセンサを保護する保護手段を有することを特徴とするフレキシブル面スイッチ。
【０００６】また第３の発明は、第１発明の絶縁体にゴムを用いることを特徴とするフレキシブル面スイッチ。
【０００７】また第４の発明は、第１発明の絶縁体にゴムスポンジを用いることを特徴とするフレキシブル面スイッチ。
【０００８】また第５の発明は、第１発明の絶縁体にウレタンフォームを用いることを特徴とするフレキシブル面スイッチ。
【０００９】また第６の発明は、第１発明の絶縁体にポリエチレンフォームを用いることを特徴とするフレキシブル面スイッチ。
【００１０】また第７の発明は、第１発明の絶縁体にシリコンを用いることを特徴とするフレキシブル面スイッチ。
【００１１】また第８の発明は、第１発明の絶縁体にゲルを用いることを特徴とするフレキシブル面スイッチ。
【００１２】また第９の発明は、第１発明の絶縁体にペーストを用いることを特徴とするフレキシブル面スイッチ。
【００１３】また第１０の発明は、第１発明の絶縁体にオイルを用いることを特徴とするフレキシブル面スイッチ。
【００１４】また第１１の発明は、第１発明の絶縁体に空気を用いることを特徴とするフレキシブル面スイッチ。
【００１５】また第１２の発明は、第１発明の絶縁体に液体を用いることを特徴とするフレキシブル面スイッチ。
【００１６】また第１３の発明は、第１発明の面導電体の電極に導電布を用いることを特徴とするフレキシブル面スイッチ。
【００１７】また第１４の発明は、第１発明の面導電体の電極に導電性ゴムを用いることを特徴とするフレキシブル面スイッチ。
【００１８】また第１５の発明は、第１発明の面導電体の電極に導電性フィルムを用いることを特徴とするフレキシブル面スイッチ。
【００１９】また第１６の発明は、第１発明の面導電体の電極に導電性不織布を用いることを特徴とするフレキシブル面スイッチ。
【００２０】また第１７の発明は、第１発明のフレキシブル面スイッチの加圧時に加圧状態である旨を第三者に知らせる無線通報手段を設けることを特徴とするフレキシブル面スイッチ。
【００２１】また第１８の発明は、第１発明のフレキシブル面スイッチ加圧状態である旨を第三者に知らせる有線通報手段を設けることを特徴とするフレキシブル面スイッチ。
【発明の効果】
【００２２】本発明の電極は柔軟性のある面導電体を用いたことで従来のアルミ箔にはないフレキシブル性が確保できるとともに機械的強度が増す。
【００２３】本発明の柔軟性のある面導電体は機械的強度が確保できるため保護材を厚くする必要が無くフレキシブル性が高い。そのためセンサの折り畳みが可能となり取り扱いが簡単である。
【００２４】本発明の柔軟性のある面導電体の電極は折れ曲がっても切断のおそれが少ないので電極破損による故障発生の低減につながる者である。
【００２５】本発明は耐加重性が高いので、ベッドのパッド下に装置して高齢者・病人の見守り用としても十分耐え得るものである。
【００２６】本発明は薄くて柔らかいので、センサ上に寝ている高齢者・病人に肉体・精神的負担を与えることがない。
【００２７】フレキシブル面スイッチは、本発明の第１．２は、従来にない大型面スイッチとして用いることが出来るので高齢者や、病人の緊急呼出し用スイッチ等に適している。
【００２８】フレキシブル面スイッチは、検知面がフレキシブルなので、三次元形状面に容易に装置できる。
【００２９】フレキシブル面スイッチは、接触面がソフトなので人体に直接装着することができる。
【００３０】面は、薄くてフレキシブルでフレキシブル面スイッチを装着したベッドや椅子又は車イスに着座しても高齢者や、病人に肉体的苦痛を与えることがない。
【００３１】フレキシブル面スイッチは、薄くて軽く脱着が容易であるため高齢者でも簡単に取り扱うことができる。
【００３２】フレキシブル面スイッチは、形状加工が簡単なので、スイッチを取り付けることができない角でも容易に装着できる。
【００３３】フレキシブル面スイッチは、ロボット等に簡単に装着することが出来、作業者の安全を図ることが出来る。
【発明を実施するための最良の形態】
【００３４】以下第１発明の実施形態１について説明する。
図１において複数の穴を開けた絶縁体１の両面に面導電体の電極２と面導電体の電極３を装着する、穴形状は加圧時に電極２、３が接触するものであればよい。【００３５】第１発明は、以上の構成により例えば図２の複数の穴４をあけた絶縁体１の両面に面導電体の電極２、３の上から圧力５をかけると図３の通り絶縁体１の穴４の部分で面導電体の電極１と面導電体の電極２が接触しフレキシブル面スイッチがＯＮ６になり減圧すると面導電体の電極２と面導電体の電極３が離れスイッチがＯＦＦ１２になる。【００３６】以下第２発明の実施形態について説明する。
図４において複数の穴４をあけた絶縁体１の両面に面導電体の電極２、３を装着し、保護材１１で保護する以上の構成で外圧から面導電体の電極２、３と絶縁体１を保護材１１で保護する。【００３７】以下第３発明の実施形態について説明する。
図１，図２，図３，図４において第１発明の絶縁体にゴムを用いる。【００３８】以下第４発明の実施形態について説明する。
図１，図２，図３，図４において第１発明の絶縁体にゴムスポンジを用いる。【００３９】以下第５発明の実施形態について説明する。
図１，図２，図３，図４において第１発明の絶縁体にウレタンフォームを用いる。【００４０】以下第６発明の実施形態について説明する。
図１，図２，図３，図４において第１発明の絶縁体にポリエチレンフォームを用いる。【００４１】以下第７発明の実施形態について説明する。
図１，図２，図３，図４において第１発明の絶縁体にシリコンを用いる。【００４２】以下第８発明の実施形態について説明する。
図１，図２，図３，図４において第１発明の絶縁体にゲルを用いる。【００４３】以下第９発明の実施形態について説明する。
図１，図２，図３，図４において第１発明の絶縁体にペーストを用いる。【００４４】以下第１０発明の実施形態について説明する。
図１，図２，図３，図４において第１発明の絶縁体にオイルを用いる。【００４５】以下第１１発明の実施形態について説明する。
図１，図２，図３，図４において第１発明の絶縁体に空気を用いる。【００４６】以下第１２発明の実施形態について説明する。
図１，図２，図３，図４において第１発明の絶縁体に液体を用いる。【００４７】以下第１３発明の実施形態について説明する。
図１，図２，図３，図４において第１発明の面導電体の電極に導電布を用いる。【００４８】以下第１４発明の実施形態について説明する。
図１，図２，図３，図４において第１発明の面導電体の電極に導電性ゴムを用いる。【００４９】以下第１５発明の実施形態について説明する。
図１，図２，図３，図４において第１発明の面導電体の電極に導電性フィルムを用いる。【００５０】以下第１６発明の実施形態について説明する。
図１，図２，図３，図４において第１発明の面導電体の電極に導電性不織布を用いる。【００５１】以下第１７発明の実施形態について説明する。
図５において第１発明、第２発明のフレキシブル面スイッチを圧力検知部７と呼び圧力検知部７の出力は無線通報器８の入力に接続される。【００５２】以上の構成により図５の圧力検知部７を加圧検知部７内の面導電体の電極２と面導電体の電極３が接触すると、微弱無線または特定小電力無線または小電力無線または携帯電話またはＰＨＳまたは光通信または超音波またはＩＰＶ６の無線通報器８から通報する。使用例としては、マットスイッチに装着した圧力検知部７の上に高齢者が乗ると転倒、徘徊を未然に防ぐため第三者に無線通報器８で知らせる。【００５３】以下第１８発明の実施形態７について説明する。
図６において第１発明、第２発明のフレキシブル面スイッチつまり圧力検知部７の出力は有線１０を介して警報器９の入力に接続される。【００５４】以上の構成により図６の圧力検知部７を加圧し検知部７内面導電体の電極２と面導電体の電極３が接触すると、病院または介護施設または高齢者住宅または保育園または幼稚園またはその他の施設内での有線１１またはインターネット、ＩＰＶ６経由して受信器９に通報する。
【図面の簡単な説明】
【００５５】
【図１】本第１発明の斜視図
【図２】本第１発明の断面図
【図３】本第１発明の断面図
【図４】本第２発明の斜視図
【図５】本第３発明のブロックダイアグラム
【図６】本第４発明のブロックダイアグラム
【符号の説明】
【００５６】１．  絶縁体
２．  面導電体の電極
３．  面導電体の電極
４．  穴
５．  圧力
６．  ＯＮ
７．  圧力検知部
８．  無線通報器
９．  受信器
１０．有線
１１．保護材
１２．ＯＦＦ
【図１】
2006073522.tif 000003
【図２】
2006073522.tif 000004
【図３】
2006073522.tif 000005
【図４】
2006073522.tif 000006
【図５】
2006073522.tif 000007
【図６】
2006073522.tif 000008